(57)【要約】      （修正有）【課題】貫通孔を介して、回路基板からアンテナへ給電を行う携帯端末において、外部からの水分や埃等の異物の進入を防止することができる携帯端末を提供する。【解決手段】携帯電話機１は、裏側キャビネット６に設けられ、給電端子１０を有する回路基板５と、カバー２１の内側表面２１ａに形成され、アンテナ接点１２を有するアンテナ１１と、裏側キャビネット６に形成され、給電端子１０を収容する第１貫通孔１５とアンテナ接点１２を収容する第２貫通孔１６とを有する貫通孔１７と、第２貫通孔１６の表面において、給電端子１０に隣接して設けられた防水用の接着部材１８と、接着部材１８を介して、第１貫通孔１５を塞ぐように第２貫通孔１６の表面に取り付けられ、給電端子１０及びアンテナ接点１２と接触する導電部材２０とを備える。貫通孔１７において、導電部材２０を介して、給電端子１０とアンテナ接点１２とが導通している。【選択図】図２
2014057267.tif 000002
【特許請求の範囲】
【請求項１】
表側キャビネットと、
前記表側キャビネットに取り付けられた裏側キャビネットと、
前記裏側キャビネットに設けられ、給電端子を有する回路基板と、
前記裏側キャビネットを覆うカバーと、
前記カバーの表面に形成され、アンテナ接点を有するアンテナと、
前記裏側キャビネットに形成され、前記給電端子を収容する第１貫通孔と前記アンテナ接点を収容する第２貫通孔とを有する貫通孔と、
前記第２貫通孔の表面において、前記給電端子に隣接して設けられた防水用の接着部材と、
前記接着部材を介して、前記第１貫通孔を塞ぐように前記第２貫通孔の表面に取り付けられ、前記給電端子及び前記アンテナ接点と接触する導電部材とを備え、  
前記貫通孔において、前記導電部材を介して、前記給電端子と前記アンテナ接点とが導通していることを特徴とする携帯端末。
【請求項２】
前記カバーは、前記アンテナ接点が設けられるとともに、前記第２貫通孔に収容された突起部と、該突起部に隣接して設けられ、前記第２貫通孔を塞ぐ防水パッキンとを有することを特徴とする請求項１に記載の携帯端末。
【請求項３】
前記導電部材は弾性部材であることを特徴とする請求項１または請求項２に記載の携帯端末。
【請求項４】
前記導電部材が、板バネ状の金属部材であることを特徴とする請求項３に記載の携帯端末。
【請求項５】
前記導電部材が、導電性を有するゴム部材であることを特徴とする請求項３に記載の携帯端末。
【請求項６】
前記表側キャビネットと前記裏側キャビネットとの間に、他の防水パッキンが設けられていることを特徴とする請求項１〜請求項５のいずれか１項に記載の携帯端末。
【発明の詳細な説明】
【技術分野】
【０００１】
本発明は、アンテナを有する携帯端末に関するものである。
【背景技術】
【０００２】
従来、携帯電話機に代表されるアンテナを有する携帯端末においては、キャビネットに形成された貫通孔を介してアンテナと回路基板とを接続し、回路基板からアンテナへ給電するようにしている。
【０００３】
例えば、キャビネットの内部に収納された回路基板とキャビネットの外部に配置されたアンテナを、キャビネットに設けられた貫通孔を通じて結合し、回路基板からアンテナへの給電を行う携帯電話機が提案されている（例えば、特許文献１参照）。
【０００４】
また、近年、アンテナのパターン設計の自由度を向上させるとの観点から、アンテナを独立した部品として設ける代わりに、キャビネットやカバー自体に、直接、アンテナパターンを形成する構造が提案されている。
【０００５】
より具体的には、図７に示すように、表示パネル５１を嵌め込むための表示用凹部を有する表側キャビネット５２と、給電端子（給電接点）５６を有する回路基板５３を収容し、表側キャビネット５２に取り付けられる裏側キャビネット５４と、回路基板５３を収容する裏側キャビネット５４を覆うカバー５５とを備える携帯電話機５０において、カバー５５の内側表面に、アンテナ接点５８を有するアンテナ５７が形成されており、裏側キャビネット５４に形成された貫通孔５９を介して、給電端子５６とアンテナ接点５８とを接触させることにより、回路基板５３からアンテナ５７へ給電するように構成された構造が提案されている。そして、このような構成により、アンテナ５７と、アンテナ５７に影響を及ぼす部品（回路基板５３や内部の回路部品、電池等）との距離を確保することが可能になるため、安定したアンテナ特性を得ることが可能になる。
【先行技術文献】
【特許文献】
【０００６】
【特許文献１】特開２０１１−５５２３９号公報
【発明の概要】
【発明が解決しようとする課題】
【０００７】
しかし、図７に記載の携帯電話機５０においては、裏側キャビネット５４に、給電端子５６とアンテナ接点５８とを接触させるための貫通孔５９が形成されているため、この貫通孔５９を介して、外部から水分や埃等の異物が携帯電話機５０の内部に入り込み、短絡等の故障が発生するという問題が生じていた。
【０００８】
そこで、本発明は、上述の問題に鑑みてなされたものであり、貫通孔を介して、回路基板からアンテナへ給電を行う携帯端末において、外部からの水分や埃等の異物の進入を防止することができる携帯端末を提供することを目的とする。
【課題を解決するための手段】
【０００９】
上記目的を達成するために、本発明の携帯端末は、表側キャビネットと、表側キャビネットに取り付けられた裏側キャビネットと、裏側キャビネットに設けられ、給電端子を有する回路基板と、裏側キャビネットを覆うカバーと、カバーの表面に形成され、アンテナ接点を有するアンテナと、裏側キャビネットに形成され、給電端子を収容する第１貫通孔とアンテナ接点を収容する第２貫通孔とを有する貫通孔と、第２貫通孔の表面において、給電端子に隣接して設けられた防水用の接着部材と、接着部材を介して、第１貫通孔を塞ぐように第２貫通孔の表面に取り付けられ、給電端子及びアンテナ接点と接触する導電部材とを備え、貫通孔において、導電部材を介して、給電端子とアンテナ接点とが導通していることを特徴とする。
【００１０】
同構成によれば、防水用の接着部材を介して、導電部材が、第１貫通孔を塞ぐように第２貫通孔の表面に取り付けられているため、防水用の接着部材と導電部材により、貫通孔を介して、外部から水分や埃等の異物が携帯端末の内部に入り込むことを防止することができる。従って、貫通孔を介して、回路基板からアンテナへ給電を行う携帯端末において、外部から進入した水分や埃等の異物に起因する短絡等の故障の発生を防止することが可能になる。
【００１１】
本発明の携帯端末においては、カバーは、アンテナ接点が設けられるとともに、第２貫通孔に収容された突起部と、突起部に隣接して設けられ、第２貫通孔を塞ぐ防水パッキンとを有していてもよい。
【００１２】
同構成によれば、第２貫通孔を塞ぐように防水パッキンが形成されているため、貫通孔を介して、外部から水分や埃等の異物が携帯端末の内部に入り込むことを一層防止することができる。従って、貫通孔を介して、回路基板からアンテナへ給電を行う携帯端末において、外部から進入した水分や埃等の異物に起因する短絡等の故障の発生を一層防止することが可能になる。
【００１３】
本発明の携帯端末においては、導電部材は弾性部材であってもよい。
【００１４】
同構成によれば、導電部材の弾性力により、アンテナ接点と導電部材との接触を確保することが可能になる。
【００１５】
本発明の携帯端末においては、導電部材が、板バネ状の金属部材であってもよい。
【００１６】
本発明の携帯端末においては、導電部材が、導電性を有するゴム部材であってもよい。
【００１７】
本発明の携帯端末においては、表側キャビネットと裏側キャビネットとの間に、他の防水パッキンが設けられていてもよい。
【００１８】
同構成によれば、表側キャビネットと裏側キャビネットとの間を介して、外部から水分や埃等の異物が携帯端末の内部に入り込むことを防止することができる。従って、貫通孔を介して、回路基板からアンテナへ給電を行う携帯端末において、外部から進入した水分や埃等の異物に起因する短絡等の故障の発生をより一層防止することが可能になる。
【発明の効果】
【００１９】
本発明によれば、貫通孔を介して、回路基板からアンテナへ給電を行う携帯端末において、外部から進入した水分や埃等の異物に起因する短絡等の故障の発生を防止することが可能になる。
【図面の簡単な説明】
【００２０】
【図１】本発明の第１の実施形態に係る携帯電話機の平面図である。
【図２】図１のＡ−Ａ断面図である。
【図３】図２におけるＥの部分の拡大図である。
【図４】本発明の第１の実施形態に係る携帯電話機の組み立て手順を説明するための断面図である。
【図５】本発明の第２の実施形態に係る携帯電話機の断面図である。
【図６】図５におけるＧの部分の拡大図である。
【図７】従来の携帯電話機の断面図である。
【発明を実施するための形態】
【００２１】
以下、本発明の実施形態を図面に基づいて詳細に説明する。尚、本発明は、以下の実施形態に限定されるものではない。
【００２２】
（第１の実施形態）
本実施形態の携帯電話機１は、タッチパネル付携帯端末であり、図１、図２に示すように、表示パネル２と、表示パネル２を収容するための表示用凹部３を有する表側キャビネット４と、矩形板状の回路基板５と、この回路基板５が設けられた矩形皿状の裏側キャビネット６とを備えている。
【００２３】
また、図１、図２に示すように、携帯電話機１は、例えば、複数の画素等で構成される表示領域Ｄと、表示領域Ｄの周辺に設けられた額縁領域Ｆとを備えている。
【００２４】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００２５】
また、本実施形態においては、図２に示すように、表側キャビネット４と裏側キャビネット６には、額縁領域Ｆにおいて、互いに嵌合するように凹凸が形成されており、表側キャビネット４と裏側キャビネット６とが嵌合した状態で、ネジ等を使用して締結することにより、表側キャビネット４に裏側キャビネット６が取り付けられる構成となっている。
【００２６】
また、本実施形態においては、図２に示すように、回路基板５を収容する裏側キャビネット６を覆うカバー２１が設けられている。なお、本実施形態においては、カバー２１は、電池用カバーとして使用される。
【００２７】
そして、上述の裏側キャビネットの取り付け構造と同様に、図２に示すように、裏側キャビネット６とカバー２１には、額縁領域Ｆにおいて、互いに嵌合するように凹凸が形成されており、裏側キャビネット６とカバー２１とを嵌合することにより、裏側キャビネット６にカバー２１が取り付けられる構成となっている。
【００２８】
表側キャビネット４、裏側キャビネット６、及びカバー２１は、例えば、ポリカーボネート樹脂、ＡＢＳ樹脂、ポリアミド樹脂等の樹脂や、これらの樹脂とガラスフィラーの混合物により形成されている。
【００２９】
また、表側キャビネット４は、表側キャビネット４を形成する樹脂と一体的に形成された金属板１３を備えている。この金属板１３は、携帯電話機１の剛性を向上させるためのものである。
【００３０】
また、本実施形態における表示パネル２としては、例えば、液晶表示パネルや有機ＥＬ表示パネル等を使用することができる。
【００３１】
また、本実施形態においては、図２に示すように、回路基板５は、金属板１３の裏側（携帯電話機１の表示側と反対側）に配置されている。
【００３２】
また、本実施形態における携帯電話機１においては、図２、図３に示すように、カバー２１の内側表面（即ち、裏側キャビネット６側の表面）２１ａにアンテナ１１が形成されている。このアンテナ１１は、カバー２１の内側表面２１ａに、例えば、印刷法やメッキ法により、パターン形状されている。
【００３３】
また、図２、図３に示すように、アンテナ１１はアンテナ接点１２を有しており、このアンテナ接点１２は、カバー２１に形成された突起部（リブ）１４の表面上に設けられている。
【００３４】
また、裏側キャビネット６に設けられた回路基板５には、アンテナ１１への給電を行う給電端子１０が設けられている。
【００３５】
また、図２、図３に示すように、裏側キャビネット６には、給電端子１０を収容する第１貫通孔１５と、アンテナ接点１２を収容する第２貫通孔１６とを有する貫通孔１７が形成されている。
【００３６】
また、図２、図３に示すように、アンテナ接点１２が設けられた突起部１４は、第２貫通孔１６に収容される構成となっている。
【００３７】
そして、本実施形態における携帯電話機１においては、この貫通孔１７において、給電端子１０とアンテナ接点１２とを導通させることにより、アンテナ１１への給電を行う構成となっている。
【００３８】
ここで、本実施形態においては、図３に示すように、第２貫通孔１６の表面１６ａにおいて、給電端子１０に隣接して、防水用の接着部材１８が設けられるとともに、この接着部材１８を介して、第１貫通孔１５を塞ぐように、第２貫通孔１６の表面１６ａに取り付けられ、給電端子１０及びアンテナ接点１２と接触する導電部材２０が設けられている点に特徴がある。
【００３９】
そして、貫通孔１７において、導電部材２０を介して、給電端子１０とアンテナ接点１２とが導通することにより、回路基板５からアンテナ１１への給電を行う構成となっている。
【００４０】
このような構成により、防水用の接着部材１８と導電部材２０により、貫通孔１７を介して、外部から水分や埃等の異物が携帯電話機１の内部に入り込むことを防止することができる。従って、貫通孔１７を介して、回路基板５からアンテナ１１へ給電を行う携帯電話機１において、外部から進入した水分や埃等の異物に起因する短絡等の故障の発生を防止することが可能になる。
【００４１】
また、図２に示すように、携帯電話機１においては、表側キャビネット４と裏側キャビネット６との間に、防水パッキン２２が設けられている。この防水パッキン２２は、表側キャビネット４及び裏側キャビネット６の全周に沿って連続して配置されており、表示パネル２を周回するように枠状に形成されている。
【００４２】
そして、防水パッキン２２を設けることにより、表側キャビネット４と裏側キャビネット６との間を介して、外部から水分や埃等の異物が携帯電話機１の内部に入り込むことを防止することができる。従って、貫通孔１７を介して、回路基板５からアンテナ１１へ給電を行う携帯電話機１において、外部から進入した水分や埃等の異物に起因する短絡等の故障の発生をより一層防止することが可能になる。
【００４３】
なお、防水パッキン２２は、例えば、シリコン等の弾性を有する材料により形成されている。
【００４４】
次に、携帯電話機１の組み立て手順の一例について簡単に説明する。まず、表側キャビネット４に形成された表示用凹部３に表示パネル２を収容する。次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を収容する。
【００４５】
次いで、回路基板５を収容するとともに、回路基板５の給電端子１０が第１貫通孔１５に収容された裏側キャビネット６を用意した後、上述の凹凸により、表側キャビネット４と裏側キャビネット６とを嵌合し、表側キャビネット４と裏側キャビネット６とが嵌合した状態で、ネジ等を使用して締結することにより、表側キャビネット４に裏側キャビネット６を取り付ける。この際、上述の防水パッキン２２が、表側キャビネット４と裏側キャビネット６との間に設けられる。
【００４６】
次いで、第２貫通孔１６の表面１６ａにおいて、給電端子１０に隣接させて、防水用の接着部材１８を設ける。なお、この接着部材１８としては、例えば、防水性を有する両面テープ等を使用することができる。
【００４７】
次いで、この接着部材１８を介して、第２貫通孔１６の表面１６ａに、第１貫通孔１５を塞ぐように導電部材２０を設ける。この際、給電端子１０と導電部材２０が接触して、給電端子１０と導電部材２０が導通する。
【００４８】
なお、本実施形態においては、図４に示すように、導電部材２０として、板バネ状の金属板が使用される。
【００４９】
次いで、アンテナ１１が形成されるとともに、アンテナ１１のアンテナ接点１２が突起部１４に形成されたカバー２１を用意した後、図４に示すように、裏側キャビネット６に、裏側キャビネット６を覆うカバー２１を取り付ける。
【００５０】
この際、図３に示すように、アンテナ接点１２が設けられた突起部１４が、第２貫通孔１６に収容されるとともに、導電部材２０とアンテナ接点１２とが接触し、導電部材２０が給電端子１０及びアンテナ接点１２の双方と接触する。従って、貫通孔１７において、導電部材２０を介して、給電端子１０とアンテナ接点１２とが導通し、回路基板５からアンテナ１１への給電を行うことが可能になる。
【００５１】
また、上述のごとく、導電部材２０として、板バネ状の金属板を使用しているため、導電部材２０の弾性力により、アンテナ接点１２と導電部材２０との接触を確保することが可能になる。
【００５２】
なお、本実施形態においては、例えば、給電端子１０として接点バネを使用することにより、給電端子１０と導電部材２０との接触を確保することができる。
【００５３】
以上のようにして、図２に示す携帯電話機１が製造される。
【００５４】
（第２の実施形態）
次に、本発明の第２の実施形態について説明する。なお、本実施形態においては、上記第１の実施形態と同様の構成部分については同一の符号を付してその説明を省略する。また、携帯電話機の組み立て手順については、上述の第１の実施形態の場合と同様であるため、ここでは詳しい説明を省略する。
【００５５】
本実施形態の携帯電話機３５においては、図５、図６に示すように、第２貫通孔１６において、防水パッキン２５が設けられている点に特徴がある。
【００５６】
より具体的には、この防水パッキン２５は、カバー２１において、突起部１４、及びアンテナ１１に隣接して設けられ、第２貫通孔１６を塞ぐように配置されている。
【００５７】
なお、防水パッキン２５は、上述の防水パッキン２２と同様に、例えば、シリコン等の弾性を有する材料により形成されている。
【００５８】
そして、第２貫通孔１６を塞ぐ防水パッキン２５を設けることにより、貫通孔１７を介して、外部から水分や埃等の異物が携帯電話機３５の内部に入り込むことを一層防止することができる。従って、貫通孔１７を介して、回路基板５からアンテナ１１へ給電を行う携帯電話機３５において、外部から進入した水分や埃等の異物に起因する短絡等の故障の発生を一層防止することが可能になる。
【００５９】
また、防水パッキン２５により、アンテナ接点１２と導電部材２０との接触部分も防水することが可能になるため、誤って、携帯電話機３５を水中へ落下させた場合であっても、アンテナ接点１２と導電部材２０との接触部分が腐食劣化することを防止することが可能になる。
【００６０】
上記実施形態は以下のように変更しても良い。
【００６１】
上記実施形態においては、導電部材２０として、板バネ状の金属板を使用する構成としたが、この金属板の代わりに、導電性を有するゴム部材を使用する構成としてもよい。この場合、ゴム部材が有する弾性力により、給電端子１０及びアンテナ接点１２と、導電部材２０との接触を確保することが可能になる。
【００６２】
また、上記実施形態においては、カバー２１の内側表面２１ａにアンテナ１１を形成する構成としたが、カバー２１の外側表面にアンテナ１１を形成する構成としてもよい。
【００６３】
また、上記実施形態においては、電池用カバーとして使用されるカバー２１にアンテナ１１を形成する構成としたが、装飾用カバーや内部補強用の部品等、キャビネット（即ち、表側キャビネット４、及び裏側キャビネット６）に重ねて使用される部品にアンテナ１１を形成する構成としてもよい。
【００６４】
また、上記実施形態においては、図２、図５に示すように、２つの給電端子１０を離間させて設ける構成としたが、この給電端子１０を隣接させて設ける構成としてもよい。
【００６５】
また、上記第２の実施形態において、アンテナ１１と防水パッキン２５との接触を防止するために、例えば、アンテナ１１と防水パッキン２５との間に防止機能を有するシール部材を設ける構成としてもよく、アンテナ１１の表面を塗装する構成としてもよい。
【００６６】
また、上記実施形態においては、保護パネルとしてタッチパネル８を例に挙げて説明したが、このタッチパネル８の代わりに、ガラスや透明な樹脂により形成された保護パネルを使用する構成としてもよい。
【００６７】
また、上記実施形態においては、携帯電話機を例に挙げて説明したが、本発明は、これに限定されず、例えば、ＰＨＳ（Personal Handy-phone System）、ＰＤＡ（Personal Digital Assistant）、パソコン、モバイルツール、電子辞書、ゲーム機等の表示パネルを有するものに適用することができる。
【産業上の利用可能性】
【００６８】
以上説明したように、本発明は、アンテナを有する携帯端末に、特に有用である。
【符号の説明】
【００６９】
１    携帯電話機（携帯端末）
２    表示パネル 
３    表示用凹部  
４    表側キャビネット 
５    回路基板 
６    裏側キャビネット 
７    タッチパネル用凹部 
８    タッチパネル
９    両面テープ 
１０      給電端子 
１１      アンテナ 
１２      アンテナ接点 
１３      金属板 
１４      突起部 
１５      第１貫通孔 
１６      第２貫通孔 
１６ａ    第２貫通孔の表面
１７      貫通孔 
１８      接着部材 
２０      導電部材 
２１      カバー 
２１ａ    カバーの内側表面 
２２      防水パッキン（他の防水パッキン） 
２５      防水パッキン 
３５      携帯電話機（携帯端末） 
Ｄ    表示領域
Ｆ    額縁領域
【図１】
2014057267.tif 000003
【図２】
2014057267.tif 000004
【図３】
2014057267.tif 000005
【図４】
2014057267.tif 000006
【図５】
2014057267.tif 000007
【図６】
2014057267.tif 000008
【図７】
2014057267.tif 000009